(57)【要約】【課題】周囲の湿度の変化によるインク硬化不良を防止し、正常な画像記録を行うことができるインクジェットプリンタとする。【解決手段】記録媒体９９を所定の搬送方向Ａに搬送する記録媒体搬送機構３と、紫外線を照射することによって硬化するインクを記録媒体に吐出するノズルを有する記録ヘッド５，６，７，８と記録媒体に着弾したインクに紫外線を照射する紫外線照射装置９，１０とを搭載し搬送方向と直交する走査方向Ｂに移動自在なキャリッジ１１とを備えるインクジェットプリンタ１である。周囲の湿度を検知する湿度検知装置１３と、湿度検知装置で検知された湿度に応じて、紫外線照射装置からインクに照射される紫外線光量の変化を伴う記録モードの切り替えを行う制御部２０とを備える。【選択図】図１
2005138460.tif 000002
【特許請求の範囲】
【請求項１】
記録媒体を所定の搬送方向に搬送する記録媒体搬送機構と、
紫外線を照射することによって硬化するインクを前記記録媒体に吐出するノズルを有する記録ヘッドと、前記記録媒体に着弾したインクに紫外線を照射する紫外線照射装置とを搭載し、前記搬送方向と直交する走査方向に移動自在なキャリッジと、
を備えるインクジェットプリンタであって、
周囲の湿度を検知する湿度検知装置と、
前記湿度検知装置で検知された湿度に応じて、前記紫外線照射装置からインクに照射される紫外線光量の変化を伴う記録モードの切り替えを行う制御部と、
を備えることを特徴とするインクジェットプリンタ。
【請求項２】
請求項１に記載のインクジェットプリンタにおいて、
前記記録ヘッドが複数のノズルを有しており、
前記制御部は、
前記記録モードの切り替えとして、同じ解像度の画像を記録する際に使用するノズル数を切り替える制御を行うことを特徴とするインクジェットプリンタ。
【請求項３】
請求項２に記載のインクジェットプリンタにおいて、
前記制御部は、
前記湿度検知装置で検知された湿度が高湿である場合に、同じ解像度の画像を記録する際に使用するノズル数を少なくする制御を行うことを特徴とするインクジェットプリンタ。
【請求項４】
請求項１に記載のインクジェットプリンタにおいて、
前記制御部は、
前記記録モードの切り替えとして、同じ解像度の画像を記録する際に１のノズルが１回の走査で記録する画素の間引量を切り替える制御を行うことを特徴とするインクジェットプリンタ。
【請求項５】
請求項４に記載のインクジェットプリンタにおいて、
前記制御部は、
前記湿度検知装置で検知された湿度が高湿である場合に、同じ解像度の画像を記録する際に１のノズルが１回の走査で記録する画素の間引量を多くする制御を行うことを特徴とするインクジェットプリンタ。
【請求項６】
請求項１に記載のインクジェットプリンタにおいて、
前記記録ヘッドが複数のノズルを有しており、
前記制御部は、
前記記録モードの切り替えとして、同じ解像度の画像を記録する際に使用するノズル数及び１のノズルが１回の走査で記録する画素の間引量を切り替える制御を行うことを特徴とするインクジェットプリンタ。
【請求項７】
請求項６に記載のインクジェットプリンタにおいて、
前記制御部は、
前記湿度検知装置で検知された湿度が高湿である場合に、同じ解像度の画像を記録する際に使用するノズル数を少なくし、かつ１のノズルが１回の走査で記録する画素の間引量を多くする制御を行うことを特徴とするインクジェットプリンタ。
【発明の詳細な説明】
【技術分野】
【０００１】
本発明は、インクジェットプリンタに係り、特には紫外線を照射することによって硬化するインクを使用したインクジェットプリンタに関する。
【背景技術】
【０００２】
近年、インクジェット記録方式は、グラビア印刷方式より簡便・安価に画像を作成することができるため、写真・各種印刷・マーキング・カラーフィルターといった特殊印刷等の様々な印刷分野に応用されてきている。特に、インクジェット記録方式では、微細なドットを吐出・制御するインクジェット記録方式のインクジェットプリンタと、色再現域・耐久性・吐出適性等を改善したインクと、インク吸収性・色材発色性・表面光沢等を飛躍的に向上させた専用紙とを組み合わせることで、銀塩写真に匹敵する画質を得ることも可能となっている。
【０００３】
従来のインクジェットプリンタには、搬送方向に搬送される記録媒体上において搬送方向に対して直交する方向に並んだ複数の吐出口が形成されたラインヘッドからインクを吐出することにより画像記録を行うライン方式、キャリッジに搭載した記録ヘッドを記録媒体の搬送方向と直交する走査方向に移動させて記録ヘッドの移動中に記録ヘッドの吐出口からインクを吐出することにより画像記録を行うシリアル方式がある。
【０００４】
また、インクジェットプリンタは、インクの種類で分類することができる。つまり、従来のインクジェットプリンタには、室温で固形のワックスインクを用いる相変化インクジェット方式、速乾性の有機溶剤を主体としたインクを用いるソルベント系インクジェット方式、紫外線の被照射により硬化する紫外線硬化型インクを用いる紫外線硬化型インクジェット方式等がある。中でも、紫外線硬化型インクジェット方式は、他の記録方式に比べ比較的低臭気であり、専用紙以外にも速乾性・インク吸収性の無い記録媒体に記録できる点で注目されている（例えば、特許文献１参照）。
【特許文献１】特開２００１−３１０４５４号公報
【発明の開示】
【発明が解決しようとする課題】
【０００５】
ところで、従来、紫外線硬化型インクジェット方式のインクジェットプリンタに使用するインクとして、カチオン重合性化合物を含むカチオン重合系の紫外線硬化型インクを用いる場合がある。このカチオン重合系の紫外線硬化型インクは、水が重合禁止剤となる特性を有するため、周囲の湿度が高くなると同じ光量の紫外線を照射してもインクが硬化し難くなり、その結果、インク硬化不良が発生する可能性がある。
しかしながら、従来のインクジェットプリンタにおいては、所定の範囲内の湿度環境下においてインクを硬化させることが可能な一定の紫外線光量でインクを硬化させるようになっているため、周囲の湿度によっては紫外線の照射不足によるインク硬化不良が発生する場合があり、正常な画像記録を行うことができなくなる可能性があった。
【０００６】
そこで、本発明の課題は、周囲の湿度の変化によるインク硬化不良を防止し、正常な画像記録を行うことができるインクジェットプリンタを提供することを目的とする。
【課題を解決するための手段】
【０００７】
請求項１に記載の発明は、
記録媒体を所定の搬送方向に搬送する記録媒体搬送機構と、
紫外線を照射することによって硬化するインクを前記記録媒体に吐出するノズルを有する記録ヘッドと、前記記録媒体に着弾したインクに紫外線を照射する紫外線照射装置とを搭載し、前記搬送方向と直交する走査方向に移動自在なキャリッジと、
を備えるインクジェットプリンタであって、
周囲の湿度を検知する湿度検知装置と、
前記湿度検知装置で検知された湿度に応じて、前記紫外線照射装置からインクに照射される紫外線光量の変化を伴う記録モードの切り替えを行う制御部と、
を備えることを特徴としている。
【０００８】
このように請求項１に記載の発明によれば、周囲の湿度を検知する湿度検知装置と、湿度検知装置で検知された湿度に応じて紫外線照射装置からインクに照射される紫外線光量の変化を伴う記録モードの切り替えを行う制御部とを備えるため、周囲の湿度に応じて記録モードを切り替えることで、記録媒体に着弾したインクに紫外線照射装置から照射される紫外線光量を変化させることができる。
例えば、周囲の湿度が高い場合にはインクが硬化し難くなるが、このような場合には、記録媒体に着弾したインクに照射される紫外線光量を増加させる結果となる記録モードに切り替えるのである。
一方、周囲の湿度が低い場合にはインクが硬化し易いため、インク硬化に必要な紫外線光量は通常の光量で良い。このような場合には、記録媒体に着弾したインクに照射される紫外線光量を増加させる必要はなく、通常の記録モードで画像記録を行うのである。
【０００９】
請求項２に記載の発明は、請求項１に記載のインクジェットプリンタにおいて、
前記記録ヘッドが複数のノズルを有しており、
前記制御部は、
前記記録モードの切り替えとして、同じ解像度の画像を記録する際に使用するノズル数を切り替える制御を行うことを特徴としている。
【００１０】
このように請求項２に記載の発明によれば、記録ヘッドが複数のノズルを有しており、制御部が、記録モードの切り替えとして、同じ解像度の画像を記録する際に使用するノズル数を切り替える制御を行うため、記録モードの切り替えにより１回のキャリッジ走査で記録される画素数が変化し、同じ解像度の画像を記録するために必要なキャリッジ走査の回数が変化することになる。その結果、記録媒体に着弾したインクに紫外線照射装置から紫外線が照射される回数も変化し、照射される紫外線光量を変化させることができる。
【００１１】
請求項３に記載の発明は、請求項２に記載のインクジェットプリンタにおいて、
前記制御部は、
前記湿度検知装置で検知された湿度が高湿である場合に、同じ解像度の画像を記録する際に使用するノズル数を少なくする制御を行うことを特徴としている。
【００１２】
このように請求項３に記載の発明によれば、制御部が、湿度検知装置で検知された湿度が高湿である場合に、同じ解像度の画像を記録する際に使用するノズル数を少なくする制御を行うため、１回のキャリッジ走査で記録される画素数が減少し、同じ解像度の画像を記録するために必要なキャリッジ走査の回数が増加することになる。その結果、記録媒体に着弾したインクに紫外線照射装置から紫外線が照射される回数も増加し、照射される紫外線光量を増加させることができる。
例えば、通常の記録モードでは全てのノズルを使用して１回のキャリッジ走査で記録する解像度の画像の場合、使用するノズル数を１／２にする記録モードに切り替えると、１回のキャリッジ走査で記録される画素数が１／２になり、同じ解像度の画像を記録するために２回のキャリッジ走査を行うこととなる。その結果、キャリッジに搭載された紫外線照射装置から紫外線が照射される回数も２回となり、使用するノズル数が減少するのに応じて、記録媒体に着弾したインクに紫外線照射装置から照射される紫外線光量を増加させることができる。
なお、使用するノズル数を１／３にする記録モードに切り替えれば、１回のキャリッジ走査で記録される画素数が１／３になり、同じ解像度の画像を記録するために３回のキャリッジ走査を行うこととなるため、紫外線照射装置から紫外線が照射される回数も３回となる。さらに、使用するノズル数を１／４にする記録モードに切り替えれば、１回のキャリッジ走査で記録される画素数が１／４になり、同じ解像度の画像を記録するために４回のキャリッジ走査を行うこととなるため、紫外線照射装置から紫外線が照射される回数も４回となる。
【００１３】
請求項４に記載の発明は、請求項１に記載のインクジェットプリンタにおいて、
前記制御部は、
前記記録モードの切り替えとして、同じ解像度の画像を記録する際に１のノズルが１回の走査で記録する画素の間引量を切り替える制御を行うことを特徴としている。
【００１４】
このように請求項４に記載の発明によれば、制御部が、記録モードの切り替えとして、同じ解像度の画像を記録する際に１のノズルが１回の走査で記録する画素の間引量を切り替える制御を行うため、記録モードの切り替えにより１回のキャリッジ走査で記録される画素数が変化し、同じ解像度の画像を記録するために必要なキャリッジ走査の回数が変化することになる。その結果、記録媒体に着弾したインクに紫外線照射装置から紫外線が照射される回数も変化し、照射される紫外線光量を変化させることができる。
【００１５】
請求項５に記載の発明は、請求項４に記載のインクジェットプリンタにおいて、
前記制御部は、
前記湿度検知装置で検知された湿度が高湿である場合に、同じ解像度の画像を記録する際に１のノズルが１回の走査で記録する画素の間引量を多くする制御を行うことを特徴としている。
【００１６】
このように請求項５に記載の発明によれば、制御部が、湿度検知装置で検知された湿度が高湿である場合に、同じ解像度の画像を記録する際に１のノズルが１回の走査で記録する画素の間引量を多くする制御を行うため、１回のキャリッジ走査で記録される画素数が減少し、同じ解像度の画像を記録するために必要なキャリッジ走査の回数が増加することになる。その結果、記録媒体に着弾したインクに紫外線照射装置から紫外線が照射される回数も増加し、照射される紫外線光量を増加させることができる。
例えば、通常の記録モードでは１回のキャリッジ走査で必要な全ての画素に対して記録する解像度の画像の場合、１回のキャリッジ走査で記録する画素の間引量を調整して１回のキャリッジ走査で記録される画素数を１／２にする記録モードに切り替えると、同じ解像度の画像を記録するために２回のキャリッジ走査を行うこととなる。その結果、キャリッジに搭載された紫外線照射装置から紫外線が照射される回数も２回となり、１のノズルが１回のキャリッジ走査で記録する画素の間引量が増加するのに応じて、記録媒体に着弾したインクに紫外線照射装置から照射される紫外線光量を増加させることができる。
なお、１回のキャリッジ走査で記録する画素の間引量をより多くして１回のキャリッジ走査で記録される画素数を１／３にする記録モードに切り替えれば、同じ解像度の画像を記録するために３回のキャリッジ走査を行うこととなるため、紫外線照射装置から紫外線が照射される回数も３回となる。さらに、１回のキャリッジ走査で記録する画素の間引量をさらに多くして１回のキャリッジ走査で記録される画素数を１／４にする記録モードに切り替えれば、同じ解像度の画像を記録するために４回のキャリッジ走査を行うこととなるため、紫外線照射装置から紫外線が照射される回数も４回となる。
【００１７】
請求項６に記載の発明は、請求項１に記載のインクジェットプリンタにおいて、
前記記録ヘッドが複数のノズルを有しており、
前記制御部は、
前記記録モードの切り替えとして、同じ解像度の画像を記録する際に使用するノズル数及び１のノズルが１回の走査で記録する画素の間引量を切り替える制御を行うことを特徴としている。
【００１８】
このように請求項６に記載の発明によれば、記録ヘッドが複数のノズルを有しており、制御部が、記録モードの切り替えとして、同じ解像度の画像を記録する際に使用するノズル数及び１のノズルが１回の走査で記録する画素の間引量を切り替える制御を行うため、記録モードの切り替えについて種々のパターンを設定することができる。そして、前記記録モードの切り替えにより１回のキャリッジ走査で記録される画素数が様々に変化し、同じ解像度の画像を記録するために必要なキャリッジ走査の回数が様々に変化することになる。その結果、記録媒体に着弾したインクに紫外線照射装置から紫外線が照射される回数も様々に変化し、照射される紫外線光量を様々に変化させることができる。
【００１９】
請求項７に記載の発明は、請求項６に記載のインクジェットプリンタにおいて、
前記制御部は、
前記湿度検知装置で検知された湿度が高湿である場合に、同じ解像度の画像を記録する際に使用するノズル数を少なくし、かつ１のノズルが１回の走査で記録する画素の間引量を多くする制御を行うことを特徴としている。
【００２０】
このように請求項７に記載の発明によれば、制御部が、湿度検知装置で検知された湿度が高湿である場合に、同じ解像度の画像を記録する際に使用するノズル数を少なくし、かつ１のノズルが１回の走査で記録する画素の間引量を多くする制御を行うため、湿度が高湿である場合に種々のパターンで対応することができる。そして、１回のキャリッジ走査で記録される画素数が様々なパターンで減少し、同じ解像度の画像を記録するために必要なキャリッジ走査の回数が様々なパターンで増加することになる。その結果、記録媒体に着弾したインクに紫外線照射装置から紫外線が照射される回数も様々なパターンで増加し、照射される紫外線光量を様々なパターンで増加させることができる。
例えば、通常の記録モードでは全てのノズルを使用して１回のキャリッジ走査で必要な全ての画素に対して記録する解像度の画像の場合、使用するノズル数を１／２にすると共に１回のキャリッジ走査で記録する画素の間引量を調整して１回のキャリッジ走査で記録される画素数を１／２にする記録モードに切り替えると、１回のキャリッジ走査で記録される画素数が１／４になり、同じ解像度の画像を記録するために４回のキャリッジ走査を行うこととなる。その結果、キャリッジに搭載された紫外線照射装置から紫外線が照射される回数も４回となり、使用するノズル数が減少し、１のノズルが１回のキャリッジ走査で記録する画素の間引量が増加するのに応じて、記録媒体に着弾したインクに紫外線照射装置から照射される紫外線光量を増加させることができる。
なお、使用するノズル数を１／２にすると共に１回のキャリッジ走査で記録する画素の間引量をより多くして１回のキャリッジ走査で記録される画素数を１／３にする記録モードに切り替えれば、１回のキャリッジ走査で記録される画素数が１／６になり、同じ解像度の画像を記録するために６回のキャリッジ走査を行うこととなるため、紫外線照射装置から紫外線が照射される回数も６回となる。さらに、使用するノズル数を１／３にすると共に１回のキャリッジ走査で記録する画素の間引量を多くして１回のキャリッジ走査で記録される画素数を１／３にする記録モードに切り替えれば、１回のキャリッジ走査で記録される画素数が１／９になり、同じ解像度の画像を記録するために９回のキャリッジ走査を行うこととなるため、紫外線照射装置から紫外線が照射される回数も９回となる。
【発明の効果】
【００２１】
請求項１に記載の発明によれば、周囲の湿度に応じて記録モードを切り替えることで、記録媒体に着弾したインクに紫外線照射装置から照射される紫外線光量を変化させることができるため、例えば、周囲の湿度が高い場合には、記録媒体に着弾したインクに照射される紫外線光量を増加させる結果となる記録モードに切り替えることにより、インク硬化不良を防止して正常な画像記録を行うことができる。
また、周囲の湿度が低い場合には、記録媒体に着弾したインクに照射される紫外線光量が通常の光量である通常の記録モードで画像記録を行うことにより、余分な作業及び時間を省いてより早く記録媒体に画像を記録することができ、その結果、記録媒体に画像記録を行う際の生産性を向上させることができる。
【００２２】
請求項２及び３に記載の発明によれば、使用するノズル数を切り替えることで、記録媒体に着弾したインクに紫外線照射装置から紫外線が照射される回数を変化させて紫外線光量を変化させることができるため、例えば、周囲の湿度が高い場合には、使用するノズル数を少なくすることにより、記録媒体に着弾したインクに紫外線照射装置から紫外線が照射される回数を増加させて紫外線光量を増加させることができ、その結果、インク硬化不良を防止して正常な画像記録を行うことができる。
【００２３】
請求項４及び５に記載の発明によれば、１のノズルが１回の走査で記録する画素の間引量を切り替えることで、記録媒体に着弾したインクに紫外線照射装置から紫外線が照射される回数を変化させて紫外線光量を変化させることができるため、例えば、周囲の湿度が高い場合には、１のノズルが１回の走査で記録する画素の間引量を多くすることにより、記録媒体に着弾したインクに紫外線照射装置から紫外線が照射される回数を増加させて紫外線光量を増加させることができ、その結果、インク硬化不良を防止して正常な画像記録を行うことができる。
【００２４】
請求項６及び７に記載の発明によれば、使用するノズル数及び１のノズルが１回の走査で記録する画素の間引量を切り替えることで、記録媒体に着弾したインクに紫外線照射装置から紫外線が照射される回数を様々に変化させて紫外線光量を様々に変化させることができるため、例えば、周囲の湿度が高い場合には、使用するノズル数を少なくし、かつ１のノズルが１回の走査で記録する画素の間引量を多くすることにより、記録媒体に着弾したインクに紫外線照射装置から紫外線が照射される回数を様々なパターンで増加させて紫外線光量を様々なパターンで増加させることができ、その結果、様々なパターンでインク硬化不良を防止して正常な画像記録を行うことができる。
【発明を実施するための最良の形態】
【００２５】
以下、図面を参照しながら本発明に係るインクジェットプリンタの実施形態について説明する。ただし、発明の範囲は図示例に限定されるものではない。
【００２６】
図１は、本発明の一実施形態におけるインクジェットプリンタの概略構成を示す図であり、図２は本実施の形態におけるインクジェットプリンタの主要な制御構成を示す制御ブロック図である。
【００２７】
図１に示すように、インクジェットプリンタ１は、シリアル方式のインクジェットプリンタであり、記録媒体９９の記録面の裏側の非記録面を支持する平板状のプラテン２を有している。前記プラテン２の前後には記録媒体搬送機構３の搬送ローラ３ａ，３ｂがそれぞれ配設されている。前記搬送ローラ３ａ，３ｂは搬送ベルト３ｃで結合され、プラテン２の前後で軸心回りの所定方向にそれぞれ回転するようになっており、各搬送ローラ３ａ，３ｂの回転に伴い記録媒体９９は搬送方向Ａに沿って搬送されるようになっている。
【００２８】
プラテン２の上方には、記録媒体９９の記録面に画像を記録する画像記録部４が配設されている。画像記録部４は、搬送方向Ａと直交する方向（以下「走査方向Ｂ」という。）に延在するガイド部材１２を有しており、ガイド部材１２にはキャリッジ１１が支持されている。キャリッジ１１は、キャリッジ駆動機構１１ａの駆動により、ガイド部材１２にガイドされた状態で走査方向Ｂに沿って往復移動自在とされている。
【００２９】
キャリッジ１１には、イエロー（Ｙ），マゼンタ（Ｍ），シアン（Ｃ），ブラック（Ｋ）の各プロセスカラーのインクを記録媒体９９の記録面に向けてそれぞれ吐出する４つの記録ヘッド５，６，７，８が搭載されており、４つの記録ヘッド５，６，７，８は同時にキャリッジ１１の往復移動によって移動可能とされている。なお、本実施の形態では、イエローのインクを記録ヘッド５、マゼンダのインクを記録ヘッド６、シアンのインクを記録ヘッド７、ブラックのインクを記録ヘッド８がそれぞれ吐出するようになっている。
【００３０】
また、図３〜図７に示すように、イエローのインクを吐出する記録ヘッド５における記録媒体９９の記録面に対向する側には、インクを液滴として吐出する複数のノズル５ａ，…が配設されている。前記複数のノズル５ａ，…は記録媒体９９の搬送方向Ａに沿って配列されてノズル列５ｂを構成しており、前記ノズル５ａの吐出口を有する記録ヘッド５における記録媒体９９の記録面に対向する面がノズル面５ｃとなっている。
【００３１】
なお、図３〜図７では便宜的にイエローの記録ヘッド５と後述する紫外線照射装置９又は紫外線照射装置１０のみを図示しているが、実際には図１に示すように、キャリッジ１１には他の記録ヘッド６，７，８も記録ヘッド５に隣接して搭載されており、また、キャリッジ１１には、その左端に搭載された紫外線照射装置９と、右端に搭載された紫外線照射装置１０の双方が備えられている。さらに、前記イエローの記録ヘッド５に設けられている複数のノズル、ノズル列、ノズル面等は、他の記録ヘッド６，７，８にも設けられているものとする。以下、イエローの記録ヘッド５について説明する構成、制御、動作等は、他の記録ヘッド６，７，８にも適用されるものとする。
【００３２】
また、本実施の形態の各記録ヘッド５，６，７，８は、記録媒体９９の走査方向Ｂの一端から他端までのキャリッジ１１の走査（以下、キャリッジ１１の１回の走査という。）時におけるインク吐出に使用するノズル数を切り替えることが可能となっている。例えば、全ノズルを使用する場合、ノズルを１つおきに使用して全ノズルの１／２のノズルを使用する場合、ノズルを２つおきに使用して全ノズルの１／３のノズルを使用する場合、ノズルを３つおきに使用して全ノズルの１／４のノズルを使用する場合等に切り替え可能となっている。
【００３３】
さらに、本実施の形態では、後述する制御部２０の制御によって、キャリッジ１１の１回の走査時において各記録ヘッド５，６，７，８の１のノズルが記録する画素の間引量を切り替えることが可能となっている。言い換えると、キャリッジ１１の１回の走査時において各記録ヘッド５，６，７，８の１のノズルが走査方向Ｂについてインクを吐出する画素数を切り替えることが可能となっているのである。例えば、走査方向Ｂの全ての画素にインク吐出する場合、走査方向Ｂの画素について１つおきにインク吐出して走査方向Ｂの全ての画素のうち１／２の画素にインク吐出する場合、走査方向Ｂの画素について２つおきにインク吐出して走査方向Ｂの全ての画素のうち１／３の画素にインク吐出する場合、走査方向Ｂの画素について３つおきにインク吐出して走査方向Ｂの全ての画素のうち１／４の画素にインク吐出する場合等に切り替え可能となっている。
【００３４】
またさらに、本実施の形態では、前記キャリッジ１１の１回の走査時における各記録ヘッド５，６，７，８のインク吐出に使用するノズル数の切り替え及び前記キャリッジ１１の１回の走査時において各記録ヘッド５，６，７，８の１のノズルが記録する画素の間引量の切り替えの双方を同時に行ったり、どちらか一方の切り替えのみを行ったりすることが可能となっている。
【００３５】
また前記したように、キャリッジ１１の走査方向Ｂにおける両端には、前記記録媒体９９に着弾したインクに紫外線を照射する紫外線照射装置９，１０がそれぞれ搭載されており、紫外線照射装置９，１０も記録ヘッド５，６，７，８と同様に、キャリッジ１１の往復移動によって移動可能とされている。各紫外線照射装置９，１０には、紫外線光源（図示省略）がそれぞれ設けられており、各紫外線照射装置９，１０は、紫外線光源が点灯することにより記録媒体９９の記録面に向けてそれぞれ紫外線を照射することができるようになっている。前記紫外線光源としては、高圧水銀ランプ、低圧水銀ランプ、メタルハライドランプ、ブラックライト、熱陰極管、冷陰極管、ＬＥＤ（Light Emitting Diode）等が適用される。
【００３６】
また、インクジェットプリンタ１の所定位置には、周囲の湿度を検知する湿度検知装置として湿度センサ１３が備えられている。本実施の形態では、前記湿度センサ１３は、前記プラテン２における記録媒体９９に接触しない位置に配設され、記録媒体９９付近の湿度を所定期間毎又は常に検知するようになっている。また、検知した湿度は、制御部２０に情報として送信されるようになっている。なお、湿度センサ１３の配設される位置としては、前記したプラテン２に限るものではなく、例えばキャリッジ１１の所定位置に湿度センサ１３が配置されるようになっていても良い。
【００３７】
次に、図２を参照しつつ本実施の形態における制御構成について説明する。
本実施の形態において、インクジェットプリンタ１には、図２に示すように、各駆動部を制御する制御部２０が設けられている。前記制御部２０は、ＣＰＵ２１、ＲＡＭ２２、ＲＯＭ２３等で構成されており、当該制御部２０はインターフェイス（図示省略）を介して、記録媒体搬送機構３、記録ヘッド５，６，７，８、紫外線照射装置９，１０、キャリッジ駆動機構１１ａ、記録媒体９９付近の湿度を検知する湿度センサ１３、記録媒体９９の種類等の画像記録時における指示が入力される入力部１４等と電気的に接続されている。なお、制御部２０には、これら以外にもインクジェットプリンタ１の各駆動部などが接続されている。
【００３８】
制御部２０は、キャリッジ１１を走査方向Ｂに往復移動させるとともに、キャリッジ１１の動作に合わせて記録媒体９９の搬送と停止とを繰り返し、記録媒体９９を間欠的に搬送方向Ａに搬送させるように、キャリッジ駆動機構１１ａ及び記録媒体搬送機構３の動作を制御するようになっている。
また、制御部２０は、紫外線照射装置９，１０を制御して紫外線を発生させるようになっている。
【００３９】
さらに、制御部２０には、画像情報を入力するホストコンピュータやスキャナ、画像記録条件を入力するキーボード等からなる入力部１４及び記録ヘッド５，６，７，８が接続されており、制御部２０は、入力部１４から入力された所定の信号に基づいて記録ヘッド５，６，７，８を動作させ、記録媒体９９上にインクを吐出させて所定の画像を記録させるようになっている。
【００４０】
また、制御部２０は、湿度センサ１３で検知した記録媒体９９付近の湿度を情報として受信し、これに対応して、紫外線照射装置９，１０からインクに照射される紫外線光量の変化を伴う記録モードの切り替えを行うように制御している。記録モードの切り替え制御としては、同じ解像度の画像を記録する際に使用するノズル数を切り替える制御を行う場合や、同じ解像度の画像を記録する際に１のノズルが１回の走査で記録する画素の間引量を切り替える制御を行う場合が挙げられる。また、前記した使用するノズル数及び画素の間引量の双方の切り替えを同時に行う場合もある。
以下、イエローのインクを吐出する記録ヘッド５の制御を例にして詳しく説明する。なお、当該記録ヘッド５について説明した制御例は、他の記録ヘッド６，７，８に対しても適用されるものとし、実際にカラー画像を記録する場合には各記録ヘッド５，６，７，８の制御が同時進行で行われるようになっている。
【００４１】
例えば、まず、所定の解像度の画像を記録する際に、周囲の湿度が予め定められた高湿の第一基準値（例えば、絶対湿度が０．０１５ｇ／ｇである場合）以下である通常時には、制御部２０は、通常時の記録モードで画像記録を行うように制御する。具体的には、図３に示すように、記録媒体９９の搬送方向Ａに沿って配列されたノズル列５ｂを構成する複数のノズル５ａ，…のうち、当該解像度の画像を記録するために必要な全てのノズルを使用し、かつ記録媒体９９の走査方向Ｂの左端から右端までのキャリッジ１１の１回の走査Ｂ１で、当該走査方向Ｂにおける全ての画素にインク吐出する。これにより、図３における白丸Ｄ１で示すように、記録ヘッド５によってインク吐出された範囲における所定の解像度の画像Ｇをキャリッジ１１の１回の走査Ｂ１で記録することができる。この場合には、当該範囲の画像記録に対してキャリッジ１１の走査が１回のみ行われるので、キャリッジ１１に搭載された紫外線照射装置から紫外線が照射される回数も１回となる。
【００４２】
これに対し、所定の解像度の画像を記録する際に、前記高湿の第一基準値より周囲の湿度が高い第一高湿時にはインクが硬化し難くなるため、制御部２０は、第一高湿時の記録モードで画像記録を行うように制御する。具体的には、図４の（ａ）に示すように、記録媒体９９の搬送方向Ａに沿って配列されたノズル列５ｂを構成する複数のノズル５ａ，…を１つおきに使用して当該解像度の画像を記録するために必要な全てのノズルの１／２のノズルを使用するように制御する。このとき、走査方向Ｂにおける画素については、全ての画素に対してインク吐出する。これにより、図４の（ａ）の上図における白丸Ｄ２で示すように、記録媒体９９の走査方向Ｂの左端から右端までのキャリッジ１１の１回目の走査Ｂ１で、記録ヘッド５によってインク吐出された範囲における所定の解像度の１／２の画像を記録することができ、図４の（ｂ）の上図に示すような状態となる。
【００４３】
次に、１／２のノズルを使用して、図４の（ａ）の下図に示すように、記録媒体９９の走査方向Ｂの右端から左端までのキャリッジ１１の２回目の走査Ｂ２を行い、黒丸Ｄ３で示すように、記録ヘッド５によってインク吐出された範囲における所定の解像度の残り１／２の画像を記録する。この結果、図４の（ｂ）の下図に示すように、通常時の記録モードで記録した画像Ｇと同様の所定の解像度の画像Ｇが記録される。
この場合には、当該範囲の画像記録に対してキャリッジ１１の走査が２回行われるので、キャリッジ１１に搭載された紫外線照射装置から紫外線が照射される回数も２回となる。これにより、記録媒体９９に着弾したインクに紫外線照射装置から照射される紫外線光量を増加させることができる。
【００４４】
また、所定の解像度の画像を記録する際に、前記高湿の第一基準値により周囲の湿度が高い第一高湿時には、次のように画像記録を行うようにしても良い。すなわち、図５の（ａ）に示すように、キャリッジ１１の１回の走査で１のノズル５ａが走査方向Ｂに記録する画素を１つおきに間引くように間引量を調整してキャリッジ１１の１回の走査で記録される画素数を１／２にするにように制御する。このとき、搬送方向Ａに沿って配列されたノズル列５ｂを構成する複数のノズル５ａ，…については、必要な全てのノズルを使用する。これにより、図５の（ａ）の上図における白丸Ｄ４で示すように、記録媒体９９の走査方向Ｂの左端から右端までのキャリッジ１１の１回目の走査Ｂ１で、記録ヘッド５によってインク吐出された範囲における所定の解像度の１／２の画像を記録することができ、図５の（ｂ）の上図に示すような状態となる。
【００４５】
次に、間引いた画素を埋めるように、図５の（ａ）の下図に示すように、記録媒体９９の走査方向Ｂの右端から左端までのキャリッジ１１の２回目の走査Ｂ２を行い、黒丸Ｄ５で示すように、記録ヘッド５によってインク吐出された範囲における所定の解像度の残り１／２の画像を記録する。この結果、図５の（ｂ）の下図に示すように、通常時の記録モードで記録した画像Ｇと同様の所定の解像度の画像Ｇが記録される。
この場合にも、当該範囲の画像記録に対してキャリッジ１１の走査が２回行われるので、前記使用するノズル数を１／２にした場合と同様に、キャリッジ１１に搭載された紫外線照射装置から紫外線が照射される回数が２回となる。これにより、記録媒体９９に着弾したインクに紫外線照射装置から照射される紫外線光量を増加させることができる。
【００４６】
さらに、所定の解像度の画像を記録する際に、周囲の湿度が前記高湿の第一基準値を超えた高湿の第二基準値（例えば、絶対湿度が０．０１８ｇ／ｇである場合）より高い第二高湿時には、前記第一高湿時よりさらにインクが硬化し難くなるため、制御部２０は、第一高湿時よりインクに照射される紫外線光量が増加する第二高湿時の記録モードで画像記録を行うように制御する。具体的には、図６の（ａ）に示すように間引量を調整して、キャリッジ１１の１回の走査で１のノズル５ａが走査方向Ｂに記録する画素が２つおきになるように間引いてキャリッジ１１の１回の走査で記録される画素数を１／３にするにように制御する。このとき、搬送方向Ａに沿って配列されたノズル列５ｂを構成する複数のノズル５ａ，…については、必要な全てのノズルを使用する。これにより、図６の（ａ）の上図における白丸Ｄ６で示すように、記録媒体９９の走査方向Ｂの左端から右端までのキャリッジ１１の１回目の走査Ｂ１で、記録ヘッド５によってインク吐出された範囲における所定の解像度の１／３の画像を記録することができ、図６の（ｂ）の上図に示すような状態となる。
【００４７】
次に、間引いた画素の片方を埋めるように、図６の（ａ）の中図に示すように、記録媒体９９の走査方向Ｂの右端から左端までのキャリッジ１１の２回目の走査Ｂ２を行い、黒丸Ｄ７で示すように、記録ヘッド５によってインク吐出された範囲における所定の解像度の残りのうち１／３の画像を記録する。この結果、図６の（ｂ）の中図に示すような状態となる。
【００４８】
次に、間引いた画素のもう片方を埋めるように、図６の（ａ）の下図に示すように、記録媒体９９の走査方向Ｂの左端から右端までのキャリッジ１１の３回目の走査Ｂ３を行い、横縞丸Ｄ８で示すように、記録ヘッド５によってインク吐出された範囲における所定の解像度の残り１／３の画像を記録する。この結果、図６の（ｂ）の下図に示すように、通常時の記録モードで記録した画像Ｇと同様の所定の解像度の画像Ｇが記録される。
この場合には、当該範囲の画像記録に対してキャリッジ１１の走査が３回行われるので、キャリッジ１１に搭載された紫外線照射装置から紫外線が照射される回数も３回となる。これにより、記録媒体９９に着弾したインクに紫外線照射装置から照射される紫外線光量をさらに増加させることができる。
【００４９】
また、所定の解像度の画像を記録する際に、周囲の湿度が前記高湿の第二基準値を超えた高湿の第三基準値（例えば、絶対湿度が０．０２ｇ／ｇである場合）より高い第三高湿時には、前記第二高湿時よりさらにインクが硬化し難くなるため、制御部２０は、第二高湿時よりインクに照射される紫外線光量が増加する第三高湿時の記録モードで画像記録を行うように制御する。具体的には、図７の（ａ）に示すように、記録媒体９９の搬送方向Ａに沿って配列されたノズル列５ｂを構成する複数のノズル５ａ，…を１つおきに使用して当該解像度の画像を記録するために必要な全てのノズルの１／２のノズルを使用すると共に、キャリッジ１１の１回の走査で１のノズル５ａが走査方向Ｂに記録する画素を１つおきに間引くように間引量を調整してキャリッジ１１の１回の走査で１のノズル５ａが記録する画素数を１／２にするにように制御する。結果として、キャリッジ１１の１回の走査で記録される画素数を１／４にするにように制御する。これにより、図７の（ａ）の１番上の図における白丸Ｄ９で示すように、記録媒体９９の走査方向Ｂの左端から右端までのキャリッジ１１の１回目の走査Ｂ１で、記録ヘッド５によってインク吐出された範囲における所定の解像度の１／４の画像を記録することができ、図７の（ｂ）の１番上の図に示すような１／４の画像が記録された状態となる。
【００５０】
次に、間引いた画素を埋めるように、図７の（ａ）の上から２番目の図に示すように、記録媒体９９の走査方向Ｂの右端から左端までのキャリッジ１１の２回目の走査Ｂ２を行い、黒丸Ｄ１０で示すように、記録ヘッド５によってインク吐出された範囲における所定の解像度の残りのうち１／４の画像を記録する。この結果、図７の（ｂ）の上から２番目の図に示すような２／４の画像が記録された状態となる。
【００５１】
次に、残りの１／２のノズルを使用して、図７の（ａ）の上から３番目の図に示すように、記録媒体９９の走査方向Ｂの左端から右端までのキャリッジ１１の３回目の走査Ｂ３を行い、横縞丸Ｄ１１で示すように、記録ヘッド５によってインク吐出された範囲における所定の解像度の残りのうちさらに１／４の画像を記録する。この結果、図７の（ｂ）の上から３番目の図に示すような３／４の画像が記録された状態となる。
【００５２】
次に、間引いた画素を埋めるように、図７の（ａ）の１番下の図に示すように、記録媒体９９の走査方向Ｂの右端から左端までのキャリッジ１１の４回目の走査Ｂ４を行い、縦縞丸Ｄ１２で示すように、記録ヘッド５によってインク吐出された範囲における所定の解像度の残り１／４の画像を記録する。この結果、図７の（ｂ）の１番下の図に示すように、通常時の記録モードで記録した画像Ｇと同様の所定の解像度の画像Ｇが記録される。
この場合には、当該範囲の画像記録に対してキャリッジ１１の走査が４回行われるので、キャリッジ１１に搭載された紫外線照射装置から紫外線が照射される回数も４回となる。これにより、記録媒体９９に着弾したインクに紫外線照射装置から照射される紫外線光量をさらに増加させることができる。
【００５３】
このような制御を行うことにより、簡単な制御で、周囲の湿度に対応した紫外線光量を、インクに照射することができる。
なお、記録モードを切り替える湿度の基準値は、必要に応じて１以上の適宜の数だけ設けるようにすれば良い。
また、記録モードの切り替えパターンについても、前記したパターンに限らず、適宜にすれば良い。
【００５４】
次に、本実施の形態に用いられる「インク」について説明する。
本実施の形態に用いられるインクは、光としての紫外線の被照射により硬化する紫外線硬化型インクであり、主成分として、重合性化合物（公知の重合性化合物を含む。）、光開始剤及び色材を少なくとも含むものである。
【００５５】
前記紫外線硬化型インクは、重合性化合物として、ラジカル重合性化合物を含むラジカル重合系インクとカチオン重合性化合物を含むカチオン重合系インクとに大別されるが、本実施の形態に用いられるインクとしては、カチオン重合系インクが適用可能である。なお、ラジカル重合系インクに比べてカチオン重合系インクは、紫外線に対する感度が高く且つ酸素による重合反応の阻害が少ないためインクの硬化に必要な照度を低減できる。また、カチオン重合系インクは、水が重合禁止剤となる特性を有するため、周囲の湿度が高くなると同じ光量の紫外線を照射してもインクが硬化し難くなる性質を有している。
【００５６】
次に、本実施の形態におけるインクジェットプリンタ１の動作を説明する。
作業者が記録媒体９９をインクジェットプリンタ１にセッティングし、インクジェットプリンタ１の電源をオン状態とすると、前記紫外線光源が点灯して、インク滴が着弾する記録媒体９９の記録面に向けて紫外線を照射する。
【００５７】
そして、インクジェットプリンタ１の制御部２０に対して、入力部１４から画像情報が送られると共に各種画像記録条件の設定情報が送られると、制御部２０は、画像の記録を開始させる。
インクジェットプリンタ１の動作中においては、一方で、各搬送ローラ３ａ，３ｂが作動して回転し、記録媒体９９が、プラテン２により非記録面を支持された状態で後方から前方へと搬送方向Ａに沿って搬送される。他方では、キャリッジ１１が作動して記録媒体９９の直上を走査方向Ｂに沿って往復移動し、キャリッジ１１に搭載されている４つの記録ヘッド５，６，７，８及び２つの紫外線照射装置９，１０もキャリッジ１１の往復移動によって移動する。
【００５８】
そしてキャリッジ１１の移動中において、４つの記録ヘッド５，６，７，８が各ノズルから記録媒体９９の記録面に向かってインクを吐出するとともに、２つの紫外線照射装置９，１０が記録媒体９９の記録面に向かって紫外線を照射する。本実施の形態では、２つの紫外線照射装置９，１０のそれぞれの紫外線光源が、常に点灯状態となっているため、各記録ヘッド５，６，７，８から吐出されたインクは、キャリッジ１１の移動方向に対する記録ヘッド５，６，７，８よりも下流側の紫外線照射装置によって、記録媒体９９に着弾した直後に紫外線が照射されて即座に硬化する。さらに、キャリッジ１１の往復移動によって、同様の箇所に対して２つの紫外線照射装置９，１０から複数回紫外線が照射されるため、インクが記録媒体９９の記録面上に確実に定着する。
【００５９】
以降、インクジェットプリンタ１が上記の各動作を繰り返し、各プロセスカラーの複数のドットからなる所望の画像が記録媒体９９の記録面に順次記録される。
【００６０】
ここで本実施の形態のインクジェットプリンタ１では、湿度センサ１３により、記録媒体９９付近の湿度を所定期間毎又は常に検知するようになっている。そして、検知した湿度は制御部２０に情報として送信され、当該情報を受信した制御部２０の制御により、記録媒体９９付近の湿度に対応して記録モードの切り替えを行うようになっている。この記録モードの切り替えに伴い、紫外線照射装置９，１０から記録媒体９９上のインクに紫外線が照射される回数が変化するようになっており、これにより、紫外線照射装置９，１０から記録媒体９９上のインクに照射される紫外線光量が変化するようになっている。
【００６１】
例えば、所定の解像度の画像を記録する際に、予め高湿の第一基準値を絶対湿度が０．０１５ｇ／ｇである場合と定め、さらに高湿となる高湿の第二基準値を絶対湿度が０．０１８ｇ／ｇである場合と定め、またさらに高湿となる高湿の第三基準値を絶対湿度が０．０２ｇ／ｇである場合と定めておく。
そして、湿度センサ１３で検知した湿度が高湿の第一基準値以下となる０．０１５ｇ／ｇ以下である通常時には、通常時の記録モードで画像記録を行うようになっている。この通常時の記録モードでは、所定の解像度の画像を記録するために必要な全てのノズルを使用し、かつ記録媒体９９の走査方向Ｂの左端から右端までのキャリッジ１１の１回の走査で１のノズルが走査方向Ｂに記録する画素を間引かずに全ての画素にインク吐出する。これにより、インク吐出された範囲の画像がキャリッジ１１の１回の走査で記録される。その結果、キャリッジ１１に搭載された紫外線照射装置から紫外線が照射される回数が１回となる。
【００６２】
また、湿度センサ１３で検知した湿度が高湿の第一基準値である０．０１５ｇ／ｇより高く高湿の第二基準値である０．０１８ｇ／ｇ以下である第一高湿時には、インクが硬化し難くなるため、記録モードを第一高湿時の記録モードに切り替えて画像記録を行うようになっている。この第一高湿時の記録モードでは、所定の解像度の画像を記録するために必要な全てのノズルの１／２のノズルを使用し、かつ記録媒体９９の走査方向Ｂの左端から右端まで又は右端から左端までのキャリッジ１１の１回の走査で１のノズルが走査方向Ｂに記録する画素を間引かずに全ての画素にインク吐出する。これにより、キャリッジ１１の１回の走査でインク吐出された範囲における所定の解像度の１／２の画像を記録することができ、インク吐出された範囲の画像がキャリッジ１１の２回の走査で記録される。その結果、キャリッジ１１に搭載された紫外線照射装置から紫外線が照射される回数が２回となる。
【００６３】
また、この第一高湿時の記録モードは、所定の解像度の画像を記録するために必要な全てのノズルを使用し、かつ記録媒体９９の走査方向Ｂの左端から右端まで又は右端から左端までのキャリッジ１１の１回の走査で１のノズルが走査方向Ｂに記録する全ての画素の１／２を間引いて１／２の画素にインク吐出するパターンでも良い。これによっても、キャリッジ１１の１回の走査でインク吐出された範囲における所定の解像度の１／２の画像を記録することができ、インク吐出された範囲の画像がキャリッジ１１の２回の走査で記録されることになる。その結果、キャリッジ１１に搭載された紫外線照射装置から紫外線が照射される回数が２回となる。
【００６４】
さらに、湿度センサ１３で検知した湿度が高湿の第二基準値である０．０１８ｇ／ｇより高く高湿の第三基準値である０．０２ｇ／ｇ以下である第二高湿時には、さらにインクが硬化し難くなるため、記録モードを第二高湿時の記録モードに切り替えて画像記録を行うようになっている。この第二高湿時の記録モードでは、所定の解像度の画像を記録するために必要な全てのノズルを使用し、かつ記録媒体９９の走査方向Ｂの左端から右端まで又は右端から左端までのキャリッジ１１の１回の走査で１のノズルが走査方向Ｂに記録する全ての画素の２／３を間引いて１／３の画素にインク吐出する。これにより、キャリッジ１１の１回の走査でインク吐出された範囲における所定の解像度の１／３の画像を記録することができ、インク吐出された範囲の画像がキャリッジ１１の３回の走査で記録される。その結果、キャリッジ１１に搭載された紫外線照射装置から紫外線が照射される回数が３回となる。
【００６５】
またさらに、湿度センサ１３で検知した湿度が高湿の第三基準値である０．０２ｇ／ｇより高い第三高湿時には、またさらにインクが硬化し難くなるため、記録モードを第三高湿時の記録モードに切り替えて画像記録を行うようになっている。この第三高湿時の記録モードでは、所定の解像度の画像を記録するために必要な全てのノズルの１／２のノズルを使用し、かつ記録媒体９９の走査方向Ｂの左端から右端まで又は右端から左端までのキャリッジ１１の１回の走査で１のノズルが走査方向Ｂに記録する全ての画素の１／２を間引いて１／２の画素にインク吐出する。これにより、キャリッジ１１の１回の走査でインク吐出された範囲における所定の解像度の１／４の画像を記録することができ、インク吐出された範囲の画像がキャリッジ１１の４回の走査で記録される。その結果、キャリッジ１１に搭載された紫外線照射装置から紫外線が照射される回数が４回となる。
【００６６】
なお、湿度センサ１３で検知した湿度に対応して記録モードを切り替えるタイミングとしては、本実施の形態では、画像記録開始時にその時の湿度に対応して記録モードを決定し、その後画像記録中に湿度が変化しても当該画像記録が終了するまでは記録モードを切り替えないようになっているが、これに限るものではなく、例えば、湿度が変化したら画像記録中でもそれに対応して記録モードを切り替えるようになっている場合も考えられる。
【００６７】
以上のように、本実施の形態のインクジェットプリンタによれば、周囲の湿度を検知する湿度検知装置と、湿度検知装置で検知された湿度に応じて紫外線照射装置からインクに照射される紫外線光量の変化を伴う記録モードの切り替えを行う制御部とを備えるため、周囲の湿度に応じて記録モードを切り替えることで、記録媒体に着弾したインクに紫外線照射装置から照射される紫外線光量を変化させることができる。
【００６８】
例えば、周囲の湿度が高い場合にはインクが硬化し難くなるが、このような場合には、記録媒体に着弾したインクに照射される紫外線光量を増加させる結果となる記録モードに切り替えるのである。その結果、インク硬化不良を防止して正常な画像記録を行うことができる。
一方、周囲の湿度が低い場合にはインクが硬化し易いため、インク硬化に必要な紫外線光量は通常の光量で良い。このような場合には、記録媒体に着弾したインクに照射される紫外線光量を増加させる必要はなく、通常の記録モードで画像記録を行うのである。その結果、余分な作業及び時間を省いてより早く記録媒体に画像を記録することができ、記録媒体に画像記録を行う際の生産性を向上させることができる。
【００６９】
また、本実施の形態では、記録ヘッドが複数のノズルを有しており、制御部が、記録モードの切り替えとして、同じ解像度の画像を記録する際に使用するノズル数を切り替える制御を行うため、記録モードの切り替えにより１回のキャリッジ走査で記録される画素数が変化し、同じ解像度の画像を記録するために必要なキャリッジ走査の回数が変化することになる。その結果、記録媒体に着弾したインクに紫外線照射装置から紫外線が照射される回数も変化し、照射される紫外線光量を変化させることができる。
具体的には、制御部が、湿度検知装置で検知された湿度が高湿である場合に、同じ解像度の画像を記録する際に使用するノズル数を少なくする制御を行うため、１回のキャリッジ走査で記録される画素数が減少し、同じ解像度の画像を記録するために必要なキャリッジ走査の回数が増加することになる。その結果、記録媒体に着弾したインクに紫外線照射装置から紫外線が照射される回数も増加し、照射される紫外線光量を増加させることができる。
【００７０】
例えば、通常の記録モードでは全てのノズルを使用して１回のキャリッジ走査で記録する解像度の画像の場合、使用するノズル数を１／２にする記録モードに切り替えると、１回のキャリッジ走査で記録される画素数が１／２になり、同じ解像度の画像を記録するために２回のキャリッジ走査を行うこととなる。その結果、キャリッジに搭載された紫外線照射装置から紫外線が照射される回数も２回となり、使用するノズル数が減少するのに応じて、記録媒体に着弾したインクに紫外線照射装置から照射される紫外線光量を増加させることができる。
なお、使用するノズル数を１／３にする記録モードに切り替えれば、１回のキャリッジ走査で記録される画素数が１／３になり、同じ解像度の画像を記録するために３回のキャリッジ走査を行うこととなるため、紫外線照射装置から紫外線が照射される回数も３回となる。さらに、使用するノズル数を１／４にする記録モードに切り替えれば、１回のキャリッジ走査で記録される画素数が１／４になり、同じ解像度の画像を記録するために４回のキャリッジ走査を行うこととなるため、紫外線照射装置から紫外線が照射される回数も４回となる。
これらのことから、インク硬化不良を防止して正常な画像記録を行うことができる。
【００７１】
さらに、本実施の形態では、制御部が、記録モードの切り替えとして、同じ解像度の画像を記録する際に１のノズルが１回の走査で記録する画素の間引量を切り替える制御を行うため、記録モードの切り替えにより１回のキャリッジ走査で記録される画素数が変化し、同じ解像度の画像を記録するために必要なキャリッジ走査の回数が変化することになる。その結果、記録媒体に着弾したインクに紫外線照射装置から紫外線が照射される回数も変化し、照射される紫外線光量を変化させることができる。
具体的には、制御部が、湿度検知装置で検知された湿度が高湿である場合に、同じ解像度の画像を記録する際に１のノズルが１回の走査で記録する画素の間引量を多くする制御を行うため、１回のキャリッジ走査で記録される画素数が減少し、同じ解像度の画像を記録するために必要なキャリッジ走査の回数が増加することになる。その結果、記録媒体に着弾したインクに紫外線照射装置から紫外線が照射される回数も増加し、照射される紫外線光量を増加させることができる。
【００７２】
例えば、通常の記録モードでは１回のキャリッジ走査で必要な全ての画素に対して記録する解像度の画像の場合、１回のキャリッジ走査で記録する画素の間引量を調整して１回のキャリッジ走査で記録される画素数を１／２にする記録モードに切り替えると、同じ解像度の画像を記録するために２回のキャリッジ走査を行うこととなる。その結果、キャリッジに搭載された紫外線照射装置から紫外線が照射される回数も２回となり、１のノズルが１回のキャリッジ走査で記録する画素の間引量が増加するのに応じて、記録媒体に着弾したインクに紫外線照射装置から照射される紫外線光量を増加させることができる。
なお、１回のキャリッジ走査で記録する画素の間引量をより多くして１回のキャリッジ走査で記録される画素数を１／３にする記録モードに切り替えれば、同じ解像度の画像を記録するために３回のキャリッジ走査を行うこととなるため、紫外線照射装置から紫外線が照射される回数も３回となる。さらに、１回のキャリッジ走査で記録する画素の間引量をさらに多くして１回のキャリッジ走査で記録される画素数を１／４にする記録モードに切り替えれば、同じ解像度の画像を記録するために４回のキャリッジ走査を行うこととなるため、紫外線照射装置から紫外線が照射される回数も４回となる。
これらのことから、インク硬化不良を防止して正常な画像記録を行うことができる。
【００７３】
またさらに、本実施の形態では、記録ヘッドが複数のノズルを有しており、制御部が、記録モードの切り替えとして、同じ解像度の画像を記録する際に使用するノズル数及び１のノズルが１回の走査で記録する画素の間引量を切り替える制御を行うため、記録モードの切り替えについて種々のパターンを設定することができる。そして、前記記録モードの切り替えにより１回のキャリッジ走査で記録される画素数が様々に変化し、同じ解像度の画像を記録するために必要なキャリッジ走査の回数が様々に変化することになる。その結果、記録媒体に着弾したインクに紫外線照射装置から紫外線が照射される回数も様々に変化し、照射される紫外線光量を様々に変化させることができる。
具体的には、制御部が、湿度検知装置で検知された湿度が高湿である場合に、同じ解像度の画像を記録する際に使用するノズル数を少なくし、かつ１のノズルが１回の走査で記録する画素の間引量を多くする制御を行うため、湿度が高湿である場合に種々のパターンで対応することができる。そして、１回のキャリッジ走査で記録される画素数が様々なパターンで減少し、同じ解像度の画像を記録するために必要なキャリッジ走査の回数が様々なパターンで増加することになる。その結果、記録媒体に着弾したインクに紫外線照射装置から紫外線が照射される回数も様々なパターンで増加し、照射される紫外線光量を様々なパターンで増加させることができる。
【００７４】
例えば、通常の記録モードでは全てのノズルを使用して１回のキャリッジ走査で必要な全ての画素に対して記録する解像度の画像の場合、使用するノズル数を１／２にすると共に１回のキャリッジ走査で記録する画素の間引量を調整して１回のキャリッジ走査で記録される画素数を１／２にする記録モードに切り替えると、１回のキャリッジ走査で記録される画素数が１／４になり、同じ解像度の画像を記録するために４回のキャリッジ走査を行うこととなる。その結果、キャリッジに搭載された紫外線照射装置から紫外線が照射される回数も４回となり、使用するノズル数が減少し、１のノズルが１回のキャリッジ走査で記録する画素の間引量が増加するのに応じて、記録媒体に着弾したインクに紫外線照射装置から照射される紫外線光量を増加させることができる。
なお、使用するノズル数を１／２にすると共に１回のキャリッジ走査で記録する画素の間引量をより多くして１回のキャリッジ走査で記録される画素数を１／３にする記録モードに切り替えれば、１回のキャリッジ走査で記録される画素数が１／６になり、同じ解像度の画像を記録するために６回のキャリッジ走査を行うこととなるため、紫外線照射装置から紫外線が照射される回数も６回となる。さらに、使用するノズル数を１／３にすると共に１回のキャリッジ走査で記録する画素の間引量を多くして１回のキャリッジ走査で記録される画素数を１／３にする記録モードに切り替えれば、１回のキャリッジ走査で記録される画素数が１／９になり、同じ解像度の画像を記録するために９回のキャリッジ走査を行うこととなるため、紫外線照射装置から紫外線が照射される回数も９回となる。
これらのことから、様々なパターンでインク硬化不良を防止して正常な画像記録を行うことができる。
【００７５】
なお、本発明は、前記した実施形態に限定されることなく、本発明の趣旨を逸脱しない範囲において、種々の改良並びに設計の変更を行っても良い。
【図面の簡単な説明】
【００７６】
【図１】本発明の一実施形態におけるインクジェットプリンタの概略構成を示す図である。
【図２】本実施の形態におけるインクジェットプリンタの主要な制御構成を示す制御ブロック図である。
【図３】本実施の形態のインクジェットプリンタにおける通常時の記録モードでの画像記録の様子の一例を示す模式図である。
【図４】本実施の形態のインクジェットプリンタにおける（ａ）第一高湿時の記録モードでの画像記録の様子の一例を示す模式図及び（ｂ）その際の記録画像の様子を示す模式図である。
【図５】本実施の形態のインクジェットプリンタにおける（ａ）第一高湿時の記録モードでの画像記録の様子の他の例を示す模式図及び（ｂ）その際の記録画像の様子を示す模式図である。
【図６】本実施の形態のインクジェットプリンタにおける（ａ）第二高湿時の記録モードでの画像記録の様子の一例を示す模式図及び（ｂ）その際の記録画像の様子を示す模式図である。
【図７】本実施の形態のインクジェットプリンタにおける（ａ）第三高湿時の記録モードでの画像記録の様子の一例を示す模式図及び（ｂ）その際の記録画像の様子を示す模式図である。
【符号の説明】
【００７７】
１    インクジェットプリンタ
３    記録媒体搬送機構
５，６，７，８  記録ヘッド
５ａ  ノズル
５ｂ  ノズル列
５ｃ  ノズル面
９，１０  紫外線照射装置
１１  キャリッジ
１３  湿度検知装置
２０  制御部
９９  記録媒体
Ａ    搬送方向
Ｂ    走査方向
【図１】
2005138460.tif 000003
【図２】
2005138460.tif 000004
【図３】
2005138460.tif 000005
【図４】
2005138460.tif 000006
【図５】
2005138460.tif 000007
【図６】
2005138460.tif 000008
【図７】
2005138460.tif 000009